(57)【要約】【課題】ホルダに対して着脱自在に装着できる照明器具において、該ホルダへの装着に要する機械的保持を充分にでき、該ホルダからの取り出しを簡単に行い得る照明灯を提供する。【解決手段】ホルダ３０はその軸方向と直交する断面が照明器具２０の把持部２０Ａの軸方向と直交する断面と略同形の開口部を有する筒体で構成され、この筒体内に照明器具２０の把持部２０Ａが挿入されることにより、照明器具２０のホルダ３０への装着がなされ、ホルダ３０の開口部３０Ａの内壁面あるいは把持部２０Ａの外周面のいずれか一方に形成した係止部と、ホルダ３０の開口部３０Ａの内壁面あるいは把持部２０Ａの外周面の他方に形成した被係止部とを備え、照明器具２０がホルダ３０へ装着がなされた状態で、前記係止部と前記被係止部との係止がなされる。【選択図】図１
2013180592.tif 000002
【特許請求の範囲】
【請求項１】
把持部の一端に照明部を有する照明器具と、この照明器具を着脱自在に装着するホルダとを備える照明灯であって、
前記ホルダはその軸方向と直交する断面が前記照明器具の前記把持部の軸方向と直交する断面と略同形の開口部を有する筒体で構成され、この筒体内に前記照明器具の前記把持部が挿入されることにより、前記照明器具の前記ホルダへの装着がなされ、
前記ホルダの前記開口部の内壁面あるいは前記把持部の外周面のいずれか一方に形成した係止部と、前記ホルダの前記開口部の内壁面あるいは前記把持部の外周面の他方に形成した被係止部とを備え、前記照明器具が前記ホルダへ装着がなされた状態で、前記係止部と前記被係止部との係止がなされることを特徴とする照明灯。
【請求項２】
前記ホルダの前記開口部の内壁面に凸部からなる係止部と、前記把持部の外周面には凹部からなる被係止部とを備え、前記照明器具が前記ホルダへ装着がなされた状態で、前記凸部と前記凹部との嵌合による係止がなされることを特徴とする請求項１に記載の照明灯。
【請求項３】
前記ホルダの前記開口部の内壁面に形成される前記凸部は、前記ホルダの周方向に沿って複数設けられ、これら複数の前記凸部は、前記ホルダの周方向に沿う長さにおいて少なくとも一つ異なるものを有し、前記把持部の外周面に形成される前記凹部は、前記凸部のそれぞれに対応させて複数設けられ、対応する前記凸部の長さに応じた長さで形成されていることを特徴とする請求項２に記載の照明灯。
【請求項４】
前記ホルダは外部発電機に接続され、前記照明器具の前記把持部に充電池を内蔵して構成され、前記ホルダの前記開口部の内壁面に前記外部発電機に接続される第１通電端子を備え、前記照明器具の前記把持部の外周面に前記充電池に接続される第２通電端子を備え、前記照明器具が前記ホルダへ装着がなされた状態で、互いに接触する前記第１通電端子および第２通電端子を通して、前記外部発電機からの電力を前記充電池に供給することを特徴とする請求項１ないし３のいずれかに記載の照明灯。
【請求項５】
前記照明器具は、前記ホルダから取り外すことによって、懐中電灯として用いられることを特徴とする請求項４に記載の照明灯。
【請求項６】
前記照明器具が装着されるホルダを自転車に取り付け、前記外部発電機は、前記自転車の車輪を回転させることで発電を行う発電機としたことを特徴とする請求項４、５のいずれかに記載の照明灯。
【請求項７】
前記ホルダは自転車に取り付けられ、前記ホルダに前記照明器具を装着することにより、前記照明器具を前記自転車の前照灯として用いられることを特徴とする請求項１ないし６のいずれかに記載の照明灯。
【請求項８】
前記照明器具の把持部に照度計が備えられるとともに、前記照明器具が装着された前記ホルダには前記照度計を露呈させる開口が形成され、前記照度計の外部光の検知によって、前記照明器具の前記照明部の照明のオン、オフを行うことを特徴とする請求項１ないし７のいずれかに記載の照明灯。
【発明の詳細な説明】
【技術分野】
【０００１】
本発明は照明灯に係り、たとえば自転車の前照灯として用いられる照明灯に関する。
【背景技術】
【０００２】
たとえば自転車の前照灯としての照明灯は、たとえば下記特許文献１に開示されるように、自転車の前ホークに取り付けられる小型ダイナモに電池ランプ（以下、照明器具と称す）が着脱自在に装着でき、必要時に該照明器具を取り出して携帯できるようになっているものがある。なお、この照明器具は、小型ダイナモに装着されている場合には該小型ダイナモから電源が供給されるようになっている。
【０００３】
また、自転車の前照灯としての照明灯として、たとえば下記特許文献２に開示されるように、自転車のハンドルに取り付けられるホルダに懐中電灯型の電灯部（以下、照明器具と称す）を着脱自在に固定でき、必要時に該電灯部を取り出して携帯できるようになっているものがある。なお、この照明器具は、電池を電源とした非発電型のものとして構成されている。
【先行技術文献】
【特許文献】
【０００４】
【特許文献１】実公平06-042946号公報
【特許文献２】特開2001-278145号公報
【発明の概要】
【発明が解決しようとする課題】
【０００５】
しかし、特許文献１に開示された照明灯は、該小型ダイナモに形成された台座（以下、ホルダと称す）の表面に設けられた断面が半円弧状の溝に該照明器具の把持部が嵌合されることによって、該小型ダイナモに照明器具を装着できるように構成されたものとなっている。
【０００６】
このことから、照明器具は、その大部分がホルダから露出された状態で該ホルダに載置されることになり、該照明器具の小型ダイナモへの装着に要する機械的保持が充分でなく、たとえば自転車の走行中に該照明器具が小型ダイナモから離脱され易くなるという不都合を有していた。
【０００７】
また、特許文献２に開示された照明灯は、ホルダに形成された受け台において、断面が半円弧状の溝の底部にマグネットが備えられ、該マグネットに吸着されて該溝に嵌合される照明器具の把持部の一部を包み込む形状からなる一対のアームを有するように構成されたものとなっている。
【０００８】
この場合、マグネットとして強力なものを用いることによって、照明器具のホルダからの容易な離脱を回避できることになるが、逆に、照明器具のホルダからの取り外しに比較的大きな力を要するという不都合が生じてしまうことになる。
【０００９】
本発明は、このような事情に基づいてなされたものであり、その目的は、ホルダに対して着脱自在に装着できる照明器具において、該ホルダへの装着に要する機械的保持を充分にでき、該ホルダからの取り出しを簡単に行い得る照明灯を提供することにある。
【課題を解決するための手段】
【００１０】
このような目的を達成するために、本発明は、照明器具の把持部をそのほぼ全部において覆うようにした筒体によってホルダを構成するとともに、たとえばホルダの内壁面にたとえば凸部からなる係止部を形成し、照明器具の把持部の外周面にたとえば凹部からなる被係止部を形成し、これら係止部と被係止部は、照明器具がホルダへ装着がなされた状態で相互の係止がなされるようにしたものである。
【００１１】
このように構成した照明灯は、照明器具がその照明部を除く部分においてホルダに覆われた状態となることから、照明器具はその軸方向と交差する方向への移動が該ホルダによって完全に規制されるようになる。
【００１２】
また、照明器具の把持部とホルダは、照明器具がホルダへ装着がなされた状態で、係止部と被係止部によって係止され、これにより、照明器具はその軸方向の移動が規制されることはもちろんのこと、該軸方向の周りの周方向の移動も規制されることになる。これにより、照明器具のホルダへの装着に要する機械的保持を充分に行うことができる。
【００１３】
また、照明器具の把持部とホルダは、照明器具のホルダへの装着の状態において、係止部と被係止部によって係止された構成となっていることから、比較的小さな力によって、該照明器具をその軸方向に移動させることによって、ホルダから容易に取り出せるようになる。
【００１４】
本発明は、以下の構成によって把握される。
（１）本発明の照明灯は、把持部の一端に照明部を有する照明器具と、この照明器具を着脱自在に装着するホルダとを備える照明灯であって、前記ホルダはその軸方向と直交する断面が前記照明器具の前記把持部の軸方向と直交する断面と略同形の開口部を有する筒体で構成され、この筒体内に前記照明器具の前記把持部が挿入されることにより、前記照明器具の前記ホルダへの装着がなされ、前記ホルダの前記開口部の内壁面あるいは前記把持部の外周面のいずれか一方に形成した係止部と、前記ホルダの前記開口部の内壁面あるいは前記把持部の外周面の他方に形成した被係止部とを備え、前記照明器具が前記ホルダへ装着がなされた状態で、前記係止部と前記被係止部との係止がなされることを特徴とする。
（２）本発明の照明灯は、（１）の構成において、前記ホルダの前記開口部の内壁面に凸部からなる係止部と、前記把持部の外周面には凹部からなる被係止部とを備え、前記照明器具が前記ホルダへ装着がなされた状態で、前記凸部と前記凹部との嵌合による係止がなされることを特徴とする。
（３）本発明の照明灯は、（２）の構成において、前記ホルダの前記開口部の内壁面に形成される前記凸部は、前記ホルダの周方向に沿って複数設けられ、これら複数の前記凸部は、前記ホルダの周方向に沿う長さにおいて少なくとも一つ異なるものを有し、前記把持部の外周面に形成される前記凹部は、前記凸部のそれぞれに対応させて複数設けられ、対応する前記凸部の長さに応じた長さで形成されていることを特徴とする。
（４）本発明の照明灯は、（１）、（２）、（３）のいずれかの構成において、前記ホルダは外部発電機に接続され、前記照明器具の前記把持部に充電池を内蔵して構成され、前記ホルダの前記開口部の内壁面に前記外部発電機に接続される第１通電端子を備え、前記照明器具の前記把持部の外周面に前記充電池に接続される第２通電端子を備え、前記照明器具が前記ホルダへ装着がなされた状態で、互いに接触する前記第１通電端子および第２通電端子を通して、前記外部発電機からの電力を前記充電池に供給することを特徴とする。
（５）本発明の照明灯は、（４）の構成において、前記照明器具は、前記ホルダから取り外すことによって、懐中電灯として用いられることを特徴とする。
（６）本発明の照明灯は、（４）、（５）のいずれかの構成において、前記照明器具が装着されるホルダを自転車に取り付け、前記外部発電機は、前記自転車の車輪を回転させることで発電を行う発電機としたことを特徴とする。
（７）本発明の照明灯は、（１）ないし（６）のいずれかの構成において、前記ホルダは自転車に取り付けられ、前記ホルダに前記照明器具を装着することにより、前記照明器具を前記自転車の前照灯として用いられることを特徴とする。
（８）本発明の照明灯は、（１）ないし（７）のいずれかの構成において、前記照明器具の把持部に照度計が備えられるとともに、前記照明器具が装着された前記ホルダには前記照度計を露呈させる開口が形成され、前記照度計の外部光の検知によって、前記照明器具の前記照明部の照明のオンオフを行うことを特徴とする。
【発明の効果】
【００１５】
このように構成した照明灯によれば、ホルダに対して着脱自在に装着できる照明器具において、該ホルダへの装着に要する機械的保持を充分にでき、該ホルダからの取り出しを極めて簡単に行なうことができるようになる。
【図面の簡単な説明】
【００１６】
【図１】本発明の照明灯の実施形態１を示す斜視図で、（ａ）は、照明器具をホルダに装着した状態の照明灯を示し、（ｂ）は、照明器具をホルダから離脱させた状態の照明灯を示している。
【図２】本発明の照明灯が適用される自転車の側面図を示し、（ａ）は照明器具をホルダに装着した状態を示し、（ｂ）は照明器具をホルダから離脱させた状態を示している。
【図３】図１のIII−III線における断面図である。
【図４】本発明の照明灯のホルダの奥を示した斜視図である。
【図５】本発明の照明灯の照明器具において第２通電端子が設けられた側から観た斜視図である。
【図６】図５に示す照明器具をホルダに装着した状態を示す斜視図である。
【発明を実施するための形態】
【００１７】
以下、添付図面を参照して、本発明を実施するための形態（以下、実施形態）について詳細に説明する。なお、実施形態の説明の全体を通して同じ要素には同じ番号を付している。
（実施形態１）
図１（ａ）、（ｂ）は、本発明による照明灯の実施形態１を示す斜視図である。図１（ａ）は、照明器具２０をホルダ３０に装着した状態の照明灯１０を示し、図１（ｂ）は、照明器具２０をホルダ３０から離脱させた状態の照明灯１０を示している。
【００１８】
図１（ａ）、（ｂ）において、照明器具２０は、把持部２０Ａの一端に照明部２０Ｂを有して構成されている。把持部２０Ａはその軸方向と直交する断面がたとえば円形となっており、照明部２０Ｂは該把持部２０Ａから離間するに従い径が大きくなって構成され、その前方に凸レンズ２０Ｃを有するようになっている。照明部２０Ｂには光源（図示せず）が内蔵され、この光源からの光は凸レンズ２０Ｃを通して前方に照射されるようになっている。把持部２０Ａには、たとえば充電池（図示せず）が内蔵され、この充電池を電源として照明部２０Ｂ内の光源を点灯させることができるようになっている。
【００１９】
ホルダ３０は、その一端において、軸方向と直交する断面が照明器具２０の把持部２０Ａの軸方向と直交する断面と略同形の開口部３０Ａを有する円形の筒体で構成されている。この筒体は、他端において閉塞された有底筒体となっている。照明器具２０の把持部２０Ａが、ホルダ３０の開口部３０Ａ内に挿入され、図１（ａ）に示すように、該把持部２０Ａのほぼ外周部全体がホルダ３０に収納された状態で、照明器具２０のホルダ３０への装着がなされるようになっている。ホルダ３０は、その外周面の一部に取付け部３０Ｂを具備し、この取付け部３０Ｂを介してたとえば自転車に固定されるようになっている。
【００２０】
図２（ａ）は、自転車１を示す側面図で、前輪２を軸支する前ホーク３において、該前輪２の上部にランプ支持部４が取り付けられ、このランプ支持部４に照明灯１０が取り付けられている。照明灯１０は、ホルダ３０に照明器具２０が装着され、照明器具２０の照明部２０Ｂを前方に指向させた状態で、ホルダ３０の取付け部３０Ｂを前記ランプ支持部４に固定させることで自転車１に取り付けられるようになっている。そして、たとえば前輪２のハブ軸にはハブ発電機５からなる外部発電機が具備され、この外部発電機からの電力は、後に詳述するが、ホルダ３０に装着された照明器具２０に内蔵された前記充電池に供給されるようになっている。図２（ｂ）は、図２（ａ）と対応づけて描いた図で、自転車１に取り付けられた照明灯１０から、照明器具２０を取り外した状態を示した図である。このように取り外した照明器具２０は懐中電灯として携帯することができ、スイッチ６０（図１（ｂ）参照）の手動操作により照明のオン・オフを行うことができるようになっている。なお、図２（ａ）、（ｂ）において、符号６はハンドル、符号７はペダル、符号８はサドル、符号９は後輪である。
【００２１】
図１（ａ）、（ｂ）に戻り、ホルダ３０の開口部３０Ａ側の端部には、ホルダ３０の軸方向に延在する舌片４０が形成されている。舌片４０は、その両脇にホルダ３０の軸方向に延在する一対の切欠き４１の形成によって構成されるようになっている。舌片４０は、ホルダ３０の周方向に沿ってほぼ等間隔にたとえば３個（図中符号４０Ａ、４０Ｂ、４０Ｃで示す）設けられている。そして、これら舌片４０Ａ、４０Ｂ、４０Ｃのそれぞれには、先端側の内周面において、ホルダ３０の周方向に延在する凸部４３Ａ、４３Ｂ、４３Ｃが形成されている。これにより、これら凸部４３Ａ、４３Ｂ、４３Ｃは、それぞれの舌片４０Ａ、４０Ｂ、４０Ｃの弾性をともなって、ホルダ３０の径方向に変位し得るようになっている。
【００２２】
また、照明器具２０の把持部２０Ａの照明部２０Ｂの近傍において、該把持部２０Ａの周方向に沿って凹部４４Ａ、４４Ｂ、４４Ｃ（図３参照）が形成され、照明器具２０がホルダ３０に装着された際に、これら凹部４４Ａ、４４Ｂ、４４Ｃに、それぞれ、ホルダ３０に形成された前記凸部４３Ａ、４３Ｂ、４３Ｃが係止されるようになっている。すなわち、照明器具２０がホルダ３０に装着された際、凸部４３Ａ、４３Ｂ、４３Ｃは係止部として、凹部４４Ａ、４４Ｂ、４４Ｃは被係止部として機能し、照明器具２０およびホルダ３０は、これら係止部と被係止部によって互いに係止されるようになっている。これにより、照明器具２０は、ホルダ３０に対して、その軸方向への移動が規制され、さらに該軸方向周りの周方向の移動も規制されることになる。なお、照明器具２０とホルダ３０との係止部において、照明器具２０の側に凹部４４Ａ、４４Ｂ、４４Ｃからなる被係止部を形成することによって、照明器具２０側に凸部を設ける必要がなくなり、該照明器具２０を把持し易くなるという効果を奏する。
【００２３】
図３は、図１（ａ）のIII−III線における断面を示した図である。図３に示すように、ホルダ３０に形成される凸部４３Ａ、４３Ｂ、４３Ｃは、それぞれのホルダ３０の周方向に沿った長さＬ１、Ｌ２、Ｌ３が互いに異なって形成されている。また、それぞれの凸部４３Ａ、４３Ｂ、４３Ｃが係止される凹部４４Ａ、４４Ｂ、４４Ｃの把持部２０Ａの周方向に沿った長さも該凸部４３Ａ、４３Ｂ、４３Ｃの長さに対応して形成されている。これにより、照明器具２０は、その把持部２０Ａの周方向の所定箇所をホルダ３０の周方向の所定箇所に合わせてホルダ３０の開口部３０Ａに挿入することのみで装着できるようになっている。
【００２４】
図４は、ホルダ３０の内側を開口部３０Ａを通して観た図であり、該開口部３０Ａの奥側にはホルダ３０の内周面に近接しホルダ３０の軸方向に延在する一対の第１通電端子４５Ａ、４５Ｂが配置されている。この第１通電端子４５Ａ、４５Ｂはホルダ３０の奥側から外部に引き出され、図２（ａ）、（ｂ）に示したハブ発電機５から電力が供給されるようになっている。ホルダ３０に設けられた第１通電端子４５Ａ、４５Ｂは、該ホルダ３０に照明器具２０が装着された際に、図５に示すように、該照明器具２０の把持部２０Ａに形成された第２通電端子４７Ａ、４７Ｂに電気的に接続するようになっている。上述したように、照明器具２０がホルダ３０に装着される際は、該照明器具２０の把持部２０Ａの周方向の所定箇所をホルダ３０の周方向の所定箇所に合わせなければならないことから、照明器具２０のホルダ３０への装着により、第１通電端子４５Ａ、４５Ｂと第２通電端子４７Ａ、４７Ｂとの電気的な接続は確実になされるようになる。第２通電端子４７Ａ、４７Ｂは照明器具２０の把持部２０Ａに内蔵された前記充電池に接続されるようになっている。これにより、照明器具２０がホルダ３０へ装着がなされた状態で、互いに接触する第１通電端子４５Ａ、４５Ｂおよび第２通電端子４７Ａ、４７Ｂを通して、ハブ発電機５からの電力を前記充電池に供給できるようになっている。この場合、図１（ａ）、（ｂ）に示すように、照明器具２０の把持部２０Ａの上部であって照明部２０Ｂに近接する箇所に発光素子からなるインジケータ４９が設けられており、前記充電池の充電状態を表示できるようになっている。なお、照明器具２０がホルダ３０に装着された状態で、インジケータ４９を容易に目視できるように、ホルダ３０の開口部３０Ａ側の端部には、該インジケータ４９を露出させるための切欠き５０が形成されている。
【００２５】
さらに、照明器具２０は、上述したように、ホルダ３０から取り外した状態では、把持部２０Ａに内蔵された充電池によってスイッチ６０の手動操作で照明のオン・オフをできるようになっているが、この照明は、照明器具２０がホルダ３０に装着された状態では、図５に示した照度計５２からの出力によって自動でオン、オフが切り換えられるようになっている。すなわち、照度計５２は、外部光の照度を検出し、この検出により周囲が暗いと判断した際に、照明部２０Ｂに内蔵されている前記光源を点灯させるようになっており、この場合、ハブ発電機５からの電力を充電池を介さずに照明に利用できる。また、スイッチ６０の手動操作から照度計５２による自動オン・オフへのモード切替は、照明器具２０をホルダ３０に装着して車輪の回転を信号として検知することで行われる。なお、図６は、ホルダ３０に照明器具２０を装着した場合の図を示し、前記照度計５２は、ホルダ３０に形成した開口５４を通して外部光を導入させるようになっている。
【００２６】
このように構成した照明灯１０は、照明器具２０がその照明部２０Ｂを除く部分においてホルダ３０に覆われた状態となることから、照明器具２０はその軸方向と交差する方向への移動が該ホルダ３０によって完全に規制されるようになる。
【００２７】
また、照明器具２０の把持部２０Ａとホルダ３０は、照明器具２０がホルダ３０へ装着がなされた状態で、係止部（凸部４３）と被係止部（凹部４４）によって係止され、これにより、照明器具２０はその軸方向への移動が規制されることはもちろんのこと、軸方向回りの周方向の移動も規制されることになる。これにより、照明器具２０のホルダ３０への装着に要する機械的保持を充分に行うことができる。
【００２８】
また、照明器具２０の把持部２０Ａとホルダ３０は、照明器具２０のホルダ３０への装着の状態において、係止部（凸部４３）と被係止部（凹部４４）によって係止された構成となっていることから、比較的小さな力によって、該照明器具２０をその軸方向に移動させることによって、ホルダ３０から容易に取り出せるようになる。
（実施形態２）
実施形態１では、照明器具２０の把持部２０Ａはその軸方向と直交する断面を円形とし、これに応じ、ホルダ３０も円形の筒体で構成したものである。しかし、これに限定されることはなく、照明器具２０の把持部２０Ａの断面形状を多角形状とし、これに応じて、ホルダ３０も多角形の筒体で構成するようにしてもよい。いずれの形状であっても、照明器具２０を把持し易い構成とすることができるからである。
（実施形態３）
実施形態１では、照明器具２０とホルダ３０を係止させる複数の係止部（凸部４３および凹部４４）は、照明灯１０の周方向に沿った長さを互いに異なるように構成したものである。しかし、これに限定されることはなく、少なくとも一つの係止部の長さを異ならしめるように構成するようにしてもよい。同様の効果を得ることができるからである。
（実施形態４）
実施形態１では、照明器具２０とホルダ３０を係止させる係止部（凸部４３および凹部４４）を周方向に沿って３個設けたものである。しかし、この数に限定されることはなく、１個、２個、あるいは４個以上であってもよい。
（実施形態５）
実施形態１では、照明器具２０に内蔵される充電池への充電はハブ発電機によって行うようにしたものである。しかし、これに限定されることはなく、ローラ発電機であってもよいことはもちろんである。
（実施形態６）
実施形態１では、照明灯１０をたとえば自転車１に取り付けるものとして説明したものであるが、必ずしも自転車に限定されることはなく、他の車両、あるいは場所においても適用できることはいうまでもない。この場合、外部発電機として、前記ハブ発電機、ローラ発電機以外の他の外部発電機を用いることができる。
【００２９】
以上、説明したことから明らかとなるように、本発明による照明灯によれば、ホルダに対して着脱自在に装着できる照明器具において、該ホルダへの装着に要する機械的保持を充分にでき、該ホルダからの取り出しを簡単に行うことができる。
【００３０】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３１】
１……自転車、２……前輪、３……前ホーク、４……ランプ支持部、５……ハブ発電機、６……ハンドル、７……ペダル、８……サドル、９……後輪、１０……照明灯、２０……照明器具、２０Ａ……把持部、２０Ｂ……照明部、２０Ｃ……凸レンズ、３０……ホルダ、３０Ａ……開口部、３０Ｂ……取付け部、４０、４０Ａ、４０Ｂ、４０Ｃ……舌片、４１……切欠き、４３Ａ、４３Ｂ、４３Ｃ……凸部、４４Ａ、４４Ｂ、４４Ｃ……凹部、４５Ａ、４５Ｂ……第１通電端子、４７Ａ、４７Ｂ……第２通電端子、４９……インジケータ、５０……切欠き、５２……照度計、５４……開口、６０……スイッチ。
【図１】
2013180592.tif 000003
【図２】
2013180592.tif 000004
【図３】
2013180592.tif 000005
【図４】
2013180592.tif 000006
【図５】
2013180592.tif 000007
【図６】
2013180592.tif 000008